(57)【特許請求の範囲】
【請求項１】
扉本体の何れの側の側端部においても、扉本体の側端面と、扉本体の側端面に該側端面の上端から下端まで全通して対峙して配設され、扉本体の側端部に固定されて自動販売機のケーシング側壁端部に取り付けられたパッキンに当接可能なカバーとの間に、扉本体の側端面の上端から下端まで全通して上下に延在する、閉鎖された水平断面を有する柱状の空間が形成され、該柱状空間によって自動販売機の扉の排水路が形成されていることを特徴とする自動販売機の扉排水構造。
【発明の詳細な説明】
【０００１】
【発明の属する技術分野】
本発明はビン飲料、缶飲料、ペットボトル飲料等の自動販売機の扉の排水構造に関するものである。
【０００２】
【従来の技術】
図１〜４に示すように、自動販売機の扉Ａは、扉本体１を備えている。扉本体１の上端面に、図１、２に示すように、該上端面の全長に亘って延在する排水溝１ａが形成されている。図３に示すように、カバー２ａ、２ｂが、扉本体１の側端面に対峙して配設されて上下に延在し、扉本体１の側端部に溶接固定されている。
上下に延在する軸線回りに扉Ａを揺動させるためのヒンジ３が取り付けられた側の扉本体１の側端面に対峙するカバー２ｂは、図３に示すように、乙字型の水平断面を有している。ヒンジ３が取り付けられた側とは反対側の扉本体１の側端面に対峙するカバー２ａは、図１、図３に示すように、乙字の一端を鉤型に折り曲げた水平断面形状を有している。
図３に示すように、ヒンジ３が取り付けられた側の扉本体１の側端面とカバー２ｂとの間に、矩形の閉鎖された水平断面を有する柱状の空間４ｂが形成されている。図１、３に示すように、ヒンジ３が取り付けられた側とは反対側の扉本体１の側端面とカバー２ａとの間に、矩形の水平断面を有する柱状の空間４ａが形成されている。
【０００３】
扉Ａをヒンジ３の回りに揺動させて閉じると、図２に示すように、扉本体１の上端面に形成された排水溝１ａの側壁が、一点鎖線で示す自動販売機のケーシングの天板Ｂの端面に取り付けられたパッキンＢ１に当接する。また、図３に示すように、カバー２ｂが、ヒンジ３側の自動販売機のケーシング側壁Ｃの端部内側に取り付けられたパッキンＣ１に当接する。また、カバー２ａの鉤型に折れ曲がった部分が、ヒンジ３とは反対側の自動販売機のケーシング側壁Ｄの端部を受入れ、カバー２ａが、ケーシング側壁Ｄの端部内側に取り付けられたパッキンＤ１に当接する。
【０００４】
図３に示すように、扉本体１のヒンジ３が取り付けられた側とは反対側の側端面の内側には、金銭処理機、金庫等を扉本体１へ固定するための取付板等の種々の部品αが固定される。部品αは、扉本体１の側端面の内側から扉本体１にねじ止めされるので、ねじ５の先端が、扉本体１のヒンジ３が取り付けられた側とは反対側の側端面から突出する。扉本体１の側端面から突出したねじ５の先端との干渉を避けるために、扉本体１のヒンジ３が取り付けられた側とは反対側の側端面に対峙して上下に延在するカバー２ａには、従来、図１、３に示すように、ねじ５に対峙する部分に開口２ａ′が形成されていた。この結果、ヒンジ３が取り付けられた側とは反対側の扉本体１の側端面とカバー２ａとの間に形成された、矩形の水平断面を有する柱状の空間４ａの水平断面は、開口２ａ′の部分で開放されており、閉鎖されていなかった。
【０００５】
前述のごとく、扉Ａを閉じると、図２に示すように、扉本体１の上端面に形成された排水溝１ａの側壁が、一点鎖線で示す自動販売機のケーシングの天板Ｂの端面に取り付けられたパッキンＢ１に当接するが、自動販売機が屋外に設置された場合には、排水溝１ａの側壁とパッキンＢ１との当接部に、雨水がしみ込み、排水溝１ａに水が溜まる。排水溝１ａに溜まった水は、排水溝１ａの両端部へ流れる。排水溝１ａのヒンジ３側の端部へ到達した水は、矩形の閉鎖された水平断面を有する柱状の空間４ｂの開放された上端へ流入し、該空間内を下方ヘ流れ、空間４ｂの開放された下端から、地面上へ放出される。柱状の空間４ｂの水平断面は閉鎖されているので、柱状の空間４ｂ内を流れる水が柱状の空間４ｂの外へ漏出し、自動販売機の商品収納庫内へ侵入するおそれは無い。排水溝１ａのヒンジ３とは反対側の端部へ到達した水が、空間４ａの開放された上端へ流入すると、カバー２ａに形成された開口２ａ′を通って、自動販売機のケーシング側壁Ｄの内側へ、すなわち商品収納庫内へ、侵入する可能性がある。そこで、従来、排水溝１ａのヒンジ３とは反対側の端部へ到達した水を、図示しない流路を介して、カバー２ａの鉤型に折れ曲がった部分とケーシング側壁Ｄの端部とに挟まれた空間、すなわち図３で参照番号Ｅで示す空間へ導き、空間Ｅ内を下方ヘ流し、空間Ｅの開放された下端から、地面上へ放出していた。
【０００６】
【発明が解決しようとする課題】
従来、排水溝１ａのヒンジ３とは反対側の端部へ到達した水を、図示しない流路を介して空間Ｅヘ導き、空間Ｅ内を下方ヘ流し、空間Ｅの開放された下端から、地面上へ放出していたが、空間Ｅ内を下方ヘ流れる水が、カバー２ａとパッキンＤ１との当接部にしみ込み、ケーシング側壁Ｄの内側へ、すなわち商品収納庫内へ、侵入する可能性があった。
本発明は上記問題に鑑みてなされたものであり、排水溝１ａのヒンジ３とは反対側の端部へ到達した水を、商品収納庫内へ侵入させることなく、地面上へ放出することができる、自動販売機の扉排水構造を提供することを目的とする。
【０００７】
【課題を解決するための手段】
上記課題を解決するために、本発明においては、扉本体の何れの側の側端部においても、扉本体の側端面と、扉本体の側端面に該側端面の上端から下端まで全通して対峙して配設され、扉本体の側端部に固定されて自動販売機のケーシング側壁端部に取り付けられたパッキンに当接可能なカバーとの間に、扉本体の側端面の上端から下端まで全通して上下に延在する、閉鎖された水平断面を有する柱状の空間が形成され、該柱状空間によって自動販売機の扉の排水路が形成されていることを特徴とする自動販売機の扉排水構造を提供する。
本発明に係る自動販売機の扉排水構造においては、扉本体の上端面に形成された排水溝に溜まった水が、該排水溝の何れの側の端部へ流れても、該水は、排水溝の端部から、閉鎖された水平断面を有する柱状の空間によって形成された排水路へ流入し、該排水路の下端から地面上に放出される。排水路の水平断面は閉鎖されているので、排水路を流れる水が、排水路の外へ漏出し、自動販売機の商品収納庫へ侵入するおそれは無い。
【０００８】
【発明の実施の形態】
本発明の実施例に係る自動販売機の扉排水構造を説明する。
本実施例に係る自動販売機の扉排水構造においては、図５に示すように、ヒンジ３が取り付けられた側とは反対側の扉本体１の側端面とカバー１２ａとの間隔が、従来に比べて広げられている。従って、ヒンジ３が取り付けられた側とは反対側の扉本体１の側端面の内側に部品αを固定するねじ５の先端は、カバー１２ａまで届かない。ねじ５の先端がカバー１２ａまで届かないので、カバー１２ａにはねじ５の先端との干渉を回避するための開口は形成されていない。従って、ヒンジ３が取り付けられた側とは反対側の扉本体１の側端面とカバー１２ａとの間に形成された柱状の空間１４ａは、ヒンジ３が取り付けられた側の扉本体１の側端面とカバー２ｂとの間に形成された柱状の空間４ｂと同様に、閉鎖された水平断面を有する。
本実施例に係る自動販売機の扉排水構造においては、扉本体の上端面に形成された排水溝に溜まった水を、図３の空間Ｅに代えて、閉鎖された水平断面を有する柱状の空間１４ａへ導き、空間１４ａ内を下方へ流し、空間１４ａの開放された下端から、地面上へ放出している。柱状の空間１４ａの水平断面は閉鎖されているので、柱状の空間１４ａを流れる水が、柱状の空間１４ａから漏出して、自動販売機の商品収納庫へ侵入するおそれは無い。柱状の空間４ｂの水平断面も閉鎖されているので、柱状の空間１４ａを流れる水も、柱状の空間１４ａから漏出せず、自動販売機の商品収納庫へ侵入しない。
【０００９】
【発明の効果】
以上説明したごとく、本発明に係る自動販売機の扉排水構造においては、扉本体の上端面に形成された排水溝に溜まった水が、該排水溝の何れの側の端部へ流れても、該水は、排水溝の端部から、閉鎖された水平断面を有する柱状の空間によって形成された排水路へ流入し、該排水路の下端から地面上に放出される。排水路の水平断面は閉鎖されているので、排水路を流れる水が、排水路から漏出して、自動販売機の商品収納庫へ侵入するおそれは無い。
【図面の簡単な説明】
【図１】従来の自動販売機の扉排水構造の部分斜視図である。
【図２】図１の矢印ａ−ａに添った部分断面図である。
【図３】図１の矢印ｂ−ｂに添った、一部を省略した断面図である。
【図４】図３の線ｃに添った断面図である。
【図５】本発明の実施例に係る自動販売機の扉排水構造の、図３に相当する断面図である。
【符号の説明】
Ａ  自動販売機の扉
Ｂ  自動販売機のケーシングの天板
Ｃ、Ｄ  自動販売機のケーシング側壁
α  部品
１  扉本体
２ａ、２ｂ  カバー
２ａ′  開口
３  ヒンジ
４ａ  柱状の空間
４ｂ  閉鎖された水平断面を有する柱状の空間
５  ねじ
１２ａ  カバー
１４ａ  閉鎖された水平断面を有する柱状の空間
【図１】
0003881742.tif 000002
【図２】
0003881742.tif 000003
【図３】
0003881742.tif 000004
【図４】
0003881742.tif 000005
【図５】
0003881742.tif 000006